(57)【要約】【課題】封水椀部から溢れ出た排水を下水側に流出させる排水トラップにおいて、防臭部材の上方に設けられた蓋部の清掃を簡単に行うことができる排水トラップを提供すること。【解決手段】排水を溜める封水椀部１１と、この封水椀部１１内に着脱自在に配置されて封水Ａを形成する防臭部材２２と、封水椀部１１から溢れ出た排水を下水側に流出させる流出口１９と、を備える排水トラップ３において、防臭部材２２は、封水椀部１１内に配置される筒状部２３と、この筒状部２３の上部に設けられ、排水口部８を閉鎖するように形成される蓋部２４と、から構成され、蓋部２４には、少なくとも筒状部２３の内径よりも小幅の流入口２５が形成されているとともに、少なくとも上面が平坦面または湾曲面にて形成されている。【選択図】図２
2007177543.tif 000002
【特許請求の範囲】
【請求項１】
排水を溜める封水椀部と、該封水椀部内に着脱自在に配置されて封水を形成する防臭部材と、前記封水椀部から溢れ出た排水を下水側に流出させる流出口と、を備える排水トラップにおいて、
前記防臭部材は、前記封水椀部内に配置される筒状部と、該筒状部の上部に設けられ、排水口部を閉鎖するように配置される蓋部と、から構成され、前記蓋部には、少なくとも前記筒状部の内径よりも小幅の流入口が形成されているとともに、少なくとも上面が平坦面または湾曲面にて形成されていることを特徴とする排水トラップ。
【請求項２】
前記流入口は、前記蓋部に複数形成されていることを特徴とする請求項１に記載の排水トラップ。
【請求項３】
前記流入口は、指が入る大きさに形成されていることを特徴とする請求項１または２に記載の排水トラップ。
【請求項４】
前記排水口部の内壁面と前記蓋部の上面とが略同一面をなして連続するように形成されていることを特徴とする請求項１ないし３のいずれかに記載の排水トラップ。
【請求項５】
前記排水口部における前記蓋部の上方には網かごが配置され、該網かごの下面には、上向きに膨出する膨出部が形成されていることを特徴とする請求項１ないし４のいずれかに記載の排水トラップ。
【発明の詳細な説明】
【技術分野】
【０００１】
本発明は、キッチン台のシンクの底部や浴室の床面などに設置される排水トラップに関する。
【背景技術】
【０００２】
従来のキッチン台のシンクの底部や浴室の床面などに設置される排水トラップとして、例えば、特許文献１に記載の排水装置（排水トラップ）のように、排水筒内に流入する排水を溜めて封水を形成するとともに、下水側からの臭気の通過を阻止する筒部（防臭部材）を設け、筒部の中央部に設けられた排水管（流出口）から封水を溢れ出すことで、排水を下水側に排出するものがある。
【０００３】
【特許文献１】実開昭５８−１０３２６２号公報（第１図）
【発明の開示】
【発明が解決しようとする課題】
【０００４】
しかしながら、特許文献１に記載の排水装置（排水トラップ）にあっては、封水を形成する筒部（防臭部材）の上方に形成された防臭蓋（蓋部）に、筒部を取り外すための凸部が形成された複雑な形状となっているため、防臭蓋を清掃する際に、排水筒から筒部を取り外してブラシ等で防臭蓋の上面や凸部を清掃しなければならず、清掃作業が面倒であった。
【０００５】
本発明は、このような問題点に着目してなされたもので、封水椀部から溢れ出た排水を下水側に流出させる排水トラップにおいて、防臭部材の上方に設けられた蓋部の清掃を簡単に行うことができる排水トラップを提供することを目的とする。
【課題を解決するための手段】
【０００６】
前記課題を解決するために、本発明の請求項１に記載の排水トラップは、
排水を溜める封水椀部と、該封水椀部内に着脱自在に配置されて封水を形成する防臭部材と、前記封水椀部から溢れ出た排水を下水側に流出させる流出口と、を備える排水トラップにおいて、
前記防臭部材は、前記封水椀部内に配置される筒状部と、該筒状部の上部に設けられ、排水口部を閉鎖するように形成される蓋部と、から構成され、前記蓋部には、少なくとも前記筒状部の内径よりも小幅の流入口が形成されているとともに、少なくとも上面が平坦面または湾曲面にて形成されていることを特徴としている。
この特徴によれば、排水口部を閉鎖する蓋部の少なくとも上面が平坦面または湾曲面にて形成されていることで、排水中に含まれるゴミやぬめり等が蓋部の上面に付着しても、蓋部の上面を雑巾等で拭き取るだけで簡単に清掃ができるばかりか、封水椀部内に排水を流入させる流入口が、筒状部の内径よりも小幅に形成されていることで、流入口に挿入した指やフック等をその周縁部に引っ掛けることができるので、防臭部材を取り外すための取手等を設ける必要がなくなるので、より清掃が容易になる。
【０００７】
本発明の請求項２に記載の排水トラップは、請求項１に記載の排水トラップであって、
前記流入口は、前記蓋部に複数形成されていることを特徴としている。
この特徴によれば、複数の流入口に複数本の指やフック等を掛けて防臭部材を取り外すことができるので、清掃作業の際に防臭部材の取り外しが容易になる。
【０００８】
本発明の請求項３に記載の排水トラップは、請求項１または２に記載の排水トラップであって、
前記流入口は、指が入る大きさに形成されていることを特徴としている。
この特徴によれば、使用者が流入口に指を入れることで、防臭部材を容易に取り外すことができ、かつ指が入るので流入口の清掃がし易くなる。
尚、流入口の内径の大きさは１５ｍｍ以上の略円形状が好ましい。
【０００９】
本発明の請求項４に記載の排水トラップは、請求項１ないし３のいずれかに記載の排水トラップであって、
前記排水口部の内壁面と前記蓋部の上面とが略同一面をなして連続するように形成されていることを特徴としている。
この特徴によれば、蓋部の周縁部と排水口部の内壁面との間に段部が形成されることがないので、蓋部の上面のみならず、該蓋部の周縁部から内壁面にかけて容易に清掃することができる。
【００１０】
本発明の請求項５に記載の排水トラップは、請求項１ないし４のいずれかに記載の排水トラップであって、
前記排水口部における前記蓋部の上方には網かごが配置され、該網かごの下面には、上向きに膨出する膨出部が形成されていることを特徴としている。
この特徴によれば、排水トラップ内に多量の水を流し込まれると、網かごの下面と蓋部との間隙に一時的に水の膜が形成されることがあり、その際に、封水椀部内に一時的に空気が溜まって排水トラップ内の水の流れが停滞してしまう場合があるが、その溜まった空気が網かごに形成された膨出部から上方に逃がれるようになるので、排水トラップ内の水がスムーズに流れるようになる。
【発明を実施するための最良の形態】
【００１１】
本発明に係る排水トラップを実施するための最良の形態を実施例に基づいて以下に説明する。
【実施例１】
【００１２】
本発明の実施例を図面に基づいて説明すると、先ず図１は、実施例１における排水トラップが設けられたシンクを示す縦断側面図であり、図２は、実施例１における排水トラップを示す縦断側面図であり、図３は、実施例１における網かごを示す斜視図であり、図４は、実施例１における防臭筒を示す斜視図であり、図５は、蓋体を取り外した状態の実施例１における排水トラップを示す平面図であり、図６は、実施例１における排水トラップに排水を流し込んだ状態を示す縦断側面図であり、図７は、従来の排水トラップに排水を流し込んだ状態を示す縦断側面図である。
【００１３】
図１の符号１は、台所に配置されるキッチン台である。以下、図１の紙面左側をキッチン台１の正面側として説明すると、このキッチン台１には、シンク２が設けられており、シンク２の底面には、排水トラップ３が配置されている。この排水トラップ３には、床下に配置される下水管（図示略）に通じる排水管４が接続されている。
【００１４】
図１に示すように、シンク２の下方には、収納空間５が形成されており、シンク２の正面側には、収納空間５を開放させることができる扉６が取り付けられている。排水トラップ３に接続された排水管４は、排水トラップ３から背面側に延びてから屈曲されて下方に延設されている。そのためシンク２の下方の収納空間５が、排水管４によって邪魔されることなく広く使用できるようになっている。
【００１５】
図２に示すように、排水トラップ３は、シンク２の底面に形成された開口にフランジ７を介して固着された有底円筒状の本実施例における排水口部としてのトラップ本体８を有しており、このトラップ本体８は、上方に開口されてシンク２からの排水が流入される開口部９を備えた水受椀部１０と、水受椀部１０よりも下方に配置されて上方の水受椀部１０から流れてくる排水を溜める封水椀部１１と、この封水椀部１１の外周に環状に配置されて封水椀部１１から溢れ出た排水を誘導する外周流路部１２と、外周流路部１２の下流側に形成された流出口１９と、外周流路部１２に囲まれてトラップ本体８の底面の中央部位に凹設された封水椀部１１の取り付け部１８と、から主に構成されている。
【００１６】
図２に示すように、封水椀部１１は、上方が開放されるお椀型、つまり有底円筒状をなすとともに、トラップ本体８を構成する外壁とは別個に形成される筒状体からなり、トラップ本体８の取り付け部１８に着脱自在に取り付けられており、上方に引き出すことでトラップ本体８の外部に取り外しできるようになっている。取り付け部１８に取り付けられた状態において、この封水椀部１１の上端縁から溢れ出た水が周囲に形成される外周流路部１２に流れ落ちるようになっている。
【００１７】
封水椀部１１の上端縁には、３つの突起部２７が、所定間隔（本実施例では１２０度間隔）おきに上方に向けて凸設されている。また、封水椀部１１の底面中央部位には、中央が上方に突出された三角錐形状を成す山型部１３が形成されている。
【００１８】
図２に示すトラップ本体８の取り付け部１８は、上面が封水椀部１１の底面と同一形状を成しており、取り付け部１８における封水椀部１１の山型部１３に対応する位置には山型部１８ａが形成されている。また、取り付け部１８は、その周囲に形成される外周流路部１２の底面よりも下方に形成され、凹状の取り付け部１８が形成されているため、封水椀部１１を取り付け部１８に取り付けることで、封水椀部１１の下部、詳しくは底面及び側面下部が凹状の取り付け部１８内に嵌合されるとともに、山型部１３に山型部１８ａが嵌合されるため、取り付け部１８に取り付けた状態における封水椀部１１の水平方向のがたつきが効果的に防止され、安定して設置される。
【００１９】
尚、水受椀部１０は円筒状に形成され、その内部には排水中に含まれる大きなゴミ等が封水椀部１１内に入り込むことを防ぐ網かご１４が取り付けられるようになっている。更に、図３に示すように、網かご１４の底面には、網かご１４の略中央部から網かご１４の縁部（側周面）に至るまで上方に膨出された膨出部１４ａが形成されている。また、トラップ本体８の上部には、水受椀部１０の上方の開口部９を蓋う蓋体１５が着脱自在に取り付けられており、この蓋体１５により網かご１４内に捕捉されたゴミを隠すことができるようになっている。
【００２０】
図２に示すように、蓋体１５は、上面に円盤状の板部材１６が配置されており、この板部材１６によって水受椀部１０の上面開口を蓋うことができるようになっているとともに、板部材１６の一部は切り欠かれており、この板部材１６の切り欠かれた部位に略半円形状の皿部１７が形成されている。この皿部１７は、板部材１６の中心から離れた位置に形成されるとともに、板部材１６よりも下方に配置されており、板部材１６と皿部１７の間には、段部１７ａが形成されている。また、この段部１７ａには、側方に開口して排水を水受椀部１０に流入させることができる流入孔（図示略）が形成されている。
【００２１】
トラップ本体８の外周流路部１２には、側方に開口して排水管４に接続される流出口１９が形成されている。詳しくは、この流出口１９の外周面には雄ネジ１９ａが形成されているとともに、該雄ネジ１９ａには袋ナット２０が螺入されており、排水管４を流出口１９に挿入した状態で、袋ナット２０を流出口１９の雄ネジ１９ａに螺合することで、流出口１９に排水管４が取り付けられている。尚、流出口１９と排水管４との間には、ゴムリング２１が設けられ、排水管４が流出口１９に水密に取り付けられるため、漏水が防止されている。
【００２２】
更に図２及び図４に示すように、排水トラップ３は、トラップ本体８に上方から取り付けられる円筒状の本実施例における防臭部材としての防臭筒２２を備えている。この防臭筒２２の下部には、封水椀部１１に遊嵌される本実施例における筒状部としての筒体２３が形成されているとともに、防臭筒２２の上部には、水受椀部１０の底面を構成する円盤状の本実施例における蓋部としての水受板２４が設けられており、その外周側端面には雄ネジ２４ａが形成されている。また、水受板２４は、トラップ本体８の開口部９から流出口１９に至るまでの排水口部を閉鎖するように配置されている。
【００２３】
尚、水受板２４の上面には、該防臭筒２２の上面開口を覆うことができる本実施例における蓋部としての庇部２６が形成されている。この庇部２６には、３つの流入口２５が設けられている。また、この流入口２５は、略円形状に形成されており、その内径は、筒体２３の内径よりも小径（小幅）であり、かつ使用者の指やフック等が入る大きさに形成されている。本実施例では流入口２５の内径が約２０ｍｍとなっており、少なくとも流入口２５の内径の大きさは１５ｍｍ以上が好ましい。
【００２４】
また、水受板２４に形成された庇部２６を含んだ水受板２４の上面全体は、突起や凹凸や角部が全く形成されていない略面一をなす平坦な形状となっている。この平坦な水受板２４の上面によって、水受椀部１０内の排水が水受板２４の中央の流入口２５に導かれ、その下方の封水椀部１１内に流入されるようになっている。尚、トラップ本体８（水受椀部１０）の内壁面と水受板２４との上面とが略同一曲面を形成して流入口２５に向けて傾斜する連続する面になるように形成されている。
【００２５】
つまり、図４及び図５に示すように、水受椀部１０内の排水は、水受椀部１０の底面中央に形成された流入口２５から防臭筒２２内に流入し、防臭筒２２内を流下して該防臭筒２２の下端開口から封水椀部１１に流入する。更に、トラップ本体８における水受椀部１０と外周流路部１２との間には、防臭筒２２の雄ネジ２４ａが螺合される雌ネジ８ａが形成されている。
【００２６】
更に、図５に示すように、複数の流入口２５は、水受板２４の中心から外れた位置に形成されており、いずれか１つの流入口２５に指を入れることで防臭筒２２を回転させることができる。また、前述した網かご１４の底面に形成された膨出部１４ａは、複数の流入口２５が形成された範囲（筒体２３の上方）に重なるように形成されている。尚、網かご１４の底面と水受板２４の上面とが近接されて配置されており、そのため網かご１４の上下寸法が大きくなるように形成でき、網かご１４が深く形成されるので多量のゴミが溜められるようになっている。本実施例では、網かご１４の最下端と、水受板２４の上面との間の間隔Ｓは、約４ｍｍとなっている。
【００２７】
また、封水椀部１１及び防臭筒２２をトラップ本体８に取り付ける際には、先ず封水椀部１１をトラップ本体８の上面開口から挿入してトラップ本体８の底面に形成された取り付け部１８に取り付ける。そして、防臭筒２２をトラップ本体８に上方から挿入し、複数の流入口２５に複数本の指を挿入して、庇部２６を摘んで防臭筒２２を回転させることで、水受板２４の外周縁端面に形成された雄ネジ２４ａがトラップ本体８に形成された雌ネジ８ａに螺合して取り付けられる。これにより、トラップ本体８の内部が水受板２４により上下に区画され、流入口２５のみを介してトラップ本体８の上下部、すなわち上方の水受椀部１０と下方の封水椀部１１及び外周流路部１２とが連通されることになる。
【００２８】
尚、図２に示すように、防臭筒２２がトラップ本体８の取り付け部１８に取り付けられると、封水椀部１１の突起部２７が防臭筒２２の水受板２４の下面に当接され、封水椀部１１の底面が取り付け部１８の上面に当接した状態で固定される。このとき、封水椀部１１の上端縁と水受板２４の下面との間には、突起部２７の高さ分の間隙が形成されるようになっているとともに、防臭筒２２を回転させて雄ネジ２４ａを雌ネジ８ａに螺合すればするほど防臭筒２２が下方に向けて押圧され、封水椀部１１の下面が取り付け部１８の上面に強く圧接されるため、取り付け部１８の上面と封水椀部１１の下面とがより強く密接される。
【００２９】
このように構成された排水トラップ３にあっては、図２に示すように、シンク２から流れてきた排水が封水椀部１１に溜まるようになっているとともに、この封水椀部１１内に上方から防臭筒２２の筒体２３が挿入され、筒体２３の下端と封水椀部１１の底面との間及び封水椀部１１の内周と筒体２３の外周との間に隙間、すなわち流路が形成されるように配置した状態で水受板２４の雄ネジ２４ａを雌ネジ８ａに螺合して封止することで、流入口２５と流出口１９とが封水椀部１１を介してのみ連通することになるが、この封水椀部１１内に所定レベル（例えば水面α）まで水が溜まることにより、筒体２３の下端と封水椀部１１の底面との間及び封水椀部１１の内周と筒体２３の外周との間に形成された隙間が水により塞がる。すなわち封水椀部１１と防臭筒２２とにより封水Ａ（封水椀部１１内に溜まる排水）が形成されることにより、下水側、つまり流出口１９側からの臭気や害虫等が屋内側に進入してきても、この封水椀部１１を通過することができないようになっている。
【００３０】
次に、排水がシンク２から排水トラップ３内に連続的に流入したときの排水の流れについて説明する。図２に示すように、シンク２から蓋体１５の板部材１６上に流れ込んだ排水は、板部材１６の上面から皿部１７に流れ込み、皿部１７から流入孔（図示略）を介して水受椀部１０に流入される。
【００３１】
そして、水受椀部１０内に流れ落ちて防臭筒２２の水受板２４上を流れる排水は、環状の水受板２４の中央部に形成された流入口２５から筒体２３内を流下して下方の封水椀部１１に流れ落ちる。図２に示すように、封水椀部１１に所定量の排水が流入すると、封水椀部１１の上端縁と水受板２４の下面との間に形成された間隙から封水椀部１１内の排水が溢れ出し、外周流路部１２に流れ落ちるようになっている。
【００３２】
尚、図７に示すように、従来の網かご１４’’（底面に膨出部１４ａが形成されていない網かご１４’’）が排水トラップ３に用いられている場合、排水トラップ３内に大量の排水を流し込んだときに、外周流路部１２と封水椀部１１と防臭筒２２とを流れる排水に自己サイホン現象が発生し、一時的に封水Ａの水面α（水位）が下がった状態となり、それと同時に、水の有する表面張力によって網かご１４’’の底面と水受板２４との間の間隙Ｓに水の膜ができてしまい、水受椀部１０に排水Ｃが溜まり、封水Ａと排水Ｃとの間の封水椀部１１内部に空気Ｂが溜まる場合がある。
【００３３】
このように封水椀部１１内部に空気Ｂが溜まる現象は一時的なもので、直ぐに空気Ｂは流入口２５を介して上方側（屋内側）に排出されるが、例え一時的な現象であっても連続的に多量の排水が排水トラップ３内に流し込まれたときに、排水がスムーズに流れずに水受椀部１０内で停滞してしまうため、一時的に網かご１４’’の内部のゴミが水受椀部１０内から浮上してしまう場合があり、使用者が不快感を感じるという問題があった。
【００３４】
しかしながら本実施例の排水トラップ３においては、図６に示すように、網かご１４の底面に膨出部１４ａが形成されているため、網かご１４の底面と水受板２４との間の間隙Ｓに水の膜が形成されることを防ぐことができ、水受椀部１０内部に排水Ｃが溜まり難くなっている。更に、この膨出部１４ａから封水椀部１１内部に溜まった空気Ｂが上方側（屋内側）に排出されるようになり、そのため一時的に封水Ａの水面α（水位）が下がったとしても、直ぐに水面αが上昇されて元の水面α（図２参照）に戻るので、排水がスムーズに流れるようになっている。
【実施例２】
【００３５】
次に、実施例２に係る排水トラップにつき、図８から図１０を参照して説明する。尚、前記実施例に示される構成部分と同一構成部分に付いては同一符号を付して重複する説明を省略する。図８は、実施例２における排水トラップを示す縦断側面図であり、図９は、実施例２における防臭筒を示す斜視図であり、図１０は、蓋体を取り外した状態の実施例２における排水トラップを示す平面図である。
【００３６】
図８に示すように、トラップ本体８には、上方側に水受椀部１０が形成されるとともに、下方側に封水椀部１１’が形成されている。封水椀部１１’の中央部には、上方に突出された円筒形状の中央流路部２８が形成されており、この中央流路部２８の上端は、防臭筒２２’の上端に形成された水受板２４’の下面に当接されている。更に中央流路部２８の上端には切欠部２９が形成されており、封水椀部１１’に溜められた封水は、切欠部２９から溢れ出て中央流路部２８内に流れ落ちるようになっている。尚、中央流路部２８に流れ落ちた排水は、排水トラップ３の下方に取り付けられた排水管４に流れるようになっている。
【００３７】
図９及び図１０に示すように、防臭筒２２’に形成された水受板２４’は、前記実施例１の水受板２４と同様に円盤状をなしており、この水受板２４’における筒体２３’よりも外方側に広がった部位が庇部２６’となっている。更に、庇部２６’に６つのの流入口２５’が形成されている。それぞれの流入口２５’の内径は使用者の指が入る大きさに形成されている。尚、水受板２４’の中央部は、若干上方に膨出されて形成されており（図８参照）、水受板２４’の上面を流れる排水が流入口２５’に誘導されるようになっている。
【００３８】
更に、図８に示すように、水受板２４’に形成された庇部２６’を含んだ水受板２４’の上面全体は、突起が全く形成されておらず、その断面形状が曲線のみで形成された湾曲面となっている。尚、トラップ本体８（水受椀部１０）の内壁面と水受板２４’との上面とが略同一曲面を形成して流入口２５’に向けて傾斜する連続する面になるように形成されている。
【００３９】
つまり、この湾曲された水受板２４’の上面によって、水受椀部１０内の排水が水受板２４’の外周の流入口２５’に導かれ、その下方の封水椀部１１’内に流入されるようになっている。尚、流入口２５’が水受板２４’の外周に形成されているため、いずれか１つの流入口２５’に指を入れることで防臭筒２２’を回転させて雄ネジ２４ａ’を雌ネジ８ａから外すことができ、防臭筒２２’を容易に取り外すことができる。
【００４０】
以上説明してきたように、本発明の実施例１及び実施例２における排水トラップ３にあっては、水受板２４，２４’と流入口２５，２５’の一部を覆う庇部２６，２６’とが平坦面または湾曲面をなすので、水受板２４，２４’及び庇部２６，２６’の上面側に排水中に含まれる微小なゴミ等が詰まり難くなる。
【００４１】
また、排水中に含まれるゴミやぬめり等が水受板２４，２４’の上面に付着しても、網かご１４を排水トラップ本体８から取り出した状態で水受板２４，２４’及び庇部２６，２６’の上面を雑巾等で拭き取るだけで、簡単に清掃ができるようになり、清掃作業が簡素化される。
【００４２】
更に、封水椀部１１，１１’内に排水を流入させる流入口２５，２５’が、筒体２３，２３’の内径よりも小幅に形成されていることで、流入口２５，２５’に挿入した指やフック等をその周縁部に引っ掛けることができるので、防臭筒２２，２２’を取り外すための取手等を設ける必要がなくなるので、より清掃が容易になる。
【００４３】
尚、円形状の流入口２５，２５’が、複数設けられていることで、流入口２５，２５’の周縁にも角部がないので清掃しやすい。また、尚、トラップ本体８（水受椀部１０）の内壁面と水受板２４，２４’との上面とが略同一曲面を形成して流入口２５，２５’に向けて傾斜する連続する面になるように形成されているため、水受板２４，２４’の周縁部と排水口部の内壁面との間に段部が形成されることがないので、水受板２４，２４’の上面のみならず、該水受板２４，２４’の周縁部から内壁面にかけて容易に清掃することができる。
【００４４】
また、排水トラップ３に排水を流し込んだときに封水椀部１１，１１’や外周流路部１２及び中央流路部２８を流れる排水音や、排水管４よりも更に下流側の排水管（図示略）内部を流れる排水音が、排水トラップ３を介して屋内側に響く場合がある。しかしながら本実施例における排水トラップ３においては、水受板２４，２４’に複数の流入口２５，２５’を形成し、かつ庇部２６，２６’を設けることで、下水側と屋内側とに連通している流入口２５，２５’の開口面積を小さく形成できるので、封水椀部１１，１１’や外周流路部１２及び中央流路部２８を流れる排水音や、更に下流側を流れる排水音が屋内側に伝わり難くなっている。尚、特に図示はしないが、水受板２４，２４’及び庇部２６，２６’の下面側に吸音性の高いゴムシート等の軟質部材（吸音部材）を貼り付けておくことで、水受板２４，２４’及び庇部２６，２６’の防音効果を向上させることもできる。
【００４５】
以上、本発明の実施例を図面により説明してきたが、具体的な構成はこれら実施例に限られるものではなく、本発明の要旨を逸脱しない範囲における変更や追加があっても本発明に含まれる。
【００４６】
例えば、前記実施例では、流入口２５が略円形状をなしていたが、流入口２５の形状は円形状に限ることなく、四角形状や扇型形状など使用者の指が入る大きさであればどのような形状でもよい。
【００４７】
また、前記実施例では、流入口２５，２５’が庇部２６，２６’に複数形成されていたが、本発明にあっては、少なくとも筒体２３，２３’の内径よりも小幅の流入口であれば１つのみの流入口が形成されていてもよい。つまり、筒体２３，２３’の内径と同径の流入口を形成した場合、該流入口の周縁に指やフック等を引っ掛ける引っ掛かり部等が形成されないので、防臭筒２２，２２’を取り外すことが困難になるため、筒体２３，２３’の内径よりも小幅の流入口であれば、前記引っ掛かり部等が形成され、防臭筒２２，２２’の取り外しが容易になる。
【図面の簡単な説明】
【００４８】
【図１】実施例１における排水トラップが設けられたシンクを示す縦断側面図である。
【図２】実施例１における排水トラップを示す縦断側面図である。
【図３】実施例１における網かごを示す斜視図である。
【図４】実施例１における防臭筒を示す斜視図である。
【図５】蓋体を取り外した状態の実施例１における排水トラップを示す平面図である。
【図６】実施例１における排水トラップに排水を流し込んだ状態を示す縦断側面図である。
【図７】従来の排水トラップに排水を流し込んだ状態を示す縦断側面図である。
【図８】実施例２における排水トラップを示す縦断側面図である。
【図９】実施例２における防臭筒を示す斜視図である。
【図１０】蓋体を取り外した状態の実施例２における排水トラップを示す平面図である。
【符号の説明】
【００４９】
１                キッチン台
２                シンク
３                排水トラップ
４                排水管
５                収納空間
６                扉
７                フランジ
８                トラップ本体（排水トラップ本体，排水口部）
８ａ              雌ネジ
９                開口部
１０              水受椀部
１１、１１’      封水椀部
１２              外周流路部
１３              山型部
１４              網かご
１４ａ            膨出部
１５              蓋体
１６              板部材
１７              皿部
１７ａ            段部
１８              取り付け部
１８ａ            山型部
１９              流出口
１９ａ            雄ネジ
２０              袋ナット
２１              ゴムリング
２２，２２’      防臭筒（防臭部材）
２３，２３’      筒体（筒状部）
２４，２４’      水受板（蓋部）
２４ａ，２４ａ’  雄ネジ
２５，２５’      流入口
２６，２６’      庇部（蓋部）
２７              突起部
２８              中央流路部
２９              切欠部
【図１】
2007177543.tif 000003
【図２】
2007177543.tif 000004
【図３】
2007177543.tif 000005
【図４】
2007177543.tif 000006
【図５】
2007177543.tif 000007
【図６】
2007177543.tif 000008
【図７】
2007177543.tif 000009
【図８】
2007177543.tif 000010
【図９】
2007177543.tif 000011
【図１０】
2007177543.tif 000012